(57)【要約】【課題】オートマチックトランスミッションのクリープ作動を伴う原動機の駆動力と制動装置の制動力による上り坂での車輌一時停止時の後滑り抑止に於ける長所と短所に鑑みて更に改良された車輌を提供する。【解決手段】上り坂に於ける一時停止中、駆動力制御装置により制御された駆動力と制動力制御装置により制御された制動力とにより後滑りが抑止されるとき、後滑り抑止用制動力の大きさに上限を設定する。上限値は上り坂勾配が大きい程大きくされ、また上り坂勾配が大きい程駆動力による抑止力を大きくさせるよう設定されてよい。【選択図】図２
2007118781.tif 000002
【特許請求の範囲】
【請求項１】
駆動力制御装置により制御された駆動力にて車輪を駆動する駆動装置と、制動力制御装置により制御された制動力にて車輪を制動する制動装置とを有し、上り坂に於ける一時停止中、前記駆動力制御装置により制御された駆動力と前記制動力制御装置により制御された制動力とにより後滑りが抑止されるとき、前記後滑り抑止用制動力の大きさに上限を設定するようになっていることを特徴とする車輌。
【請求項２】
前記上限の値は前記上り坂の勾配に応じて該勾配が大きい程大きくされるようになっていることを特徴とする請求項１に記載の車輌。
【請求項３】
前記上限の値は前記上り坂の勾配に応じて該勾配が大きい程前記後滑り抑止用駆動力が大きくなるように設定されることを特徴とする請求項１または２に記載の車輌。
【発明の詳細な説明】
【技術分野】
【０００１】
本発明は、自動車等の車輌であって、上り坂での一時停止時に自動制御により後滑りが抑止される車輌に係る。
【背景技術】
【０００２】
自動車等の車輌が上り坂で一時停止されたとき、エンジン回転数が所定値以下であるように低く、オートマチックトランスミッションによるクリープ力では車輌の後滑りを抑えきれないとき、制動装置を作動させ、車輌の走行開始が検出されたとき制動装置の作動を解除するようにすることが下記の特許文献１に記載されている。また車輌が上り坂にて一時停止されたとき、ブレーキペダルが解除されたことが検出されたときには電動機を作動させて車輌の後滑りを抑止することをハイブリッド車に於いて行うことが下記の特許文献２に記載されている。この特許文献２には、更に電動機による前進方向の駆動トルクを上り坂の勾配に応じて設定することも記載されている。
【特許文献１】特開平１１-３１０１１９
【特許文献２】特開２００５-３３８６６
【発明の開示】
【発明が解決しようとする課題】
【０００３】
上記の特許文献２に於ける如く上り坂で一時停止された車輌の後滑りを電動機により抑止する場合には、電動機は力を発生するだけで回転しなくてもよいので、理論的には動力を消費せず、電動機に於ける電磁漏洩損失による電力消費を除いて、エネルギの消費は生じない。しかし、上記の特許文献１に於ける如く内燃機関等の原動機の運転を続け、オートマチックトランスミッションのクリープ作動を伴って車輌の後滑りを抑止する場合には、エネルギが消費される。
【０００４】
これに対し、上り坂上での車輌の後滑りの抑止を制動装置により行う場合には、エネルギの消費は制動装置のオンオフの切り換えに要するのみであり、制動の持続中には理論上エネルギの消費は生じないという利点がある。しかし、この場合、車輌の発進に当たっての制動解除のタイミングが微妙であり、それが的確に行われないと、車輌の後ずさり或は制動下での発進による発進性の不良や制動装置の摩擦係合部に於ける摩耗の増大を生ずる。
【０００５】
本発明は、オートマチックトランスミッションのクリープ作動を伴う原動機の駆動力と制動装置の制動力による上り坂での車輌の一時停止時の後滑り抑止に於ける上記の如き長所と短所に鑑み、この点に関し改良された車輌を提供することを課題としている。
【課題を解決するための手段】
【０００６】
上記の課題を解決するものとして、本発明は、駆動力制御装置により制御された駆動力にて車輪を駆動する駆動装置と、制動力制御装置により制御された制動力にて車輪を制動する制動装置とを有し、上り坂に於ける一時停止中、前記駆動力制御装置により制御された駆動力と前記制動力制御装置により制御された制動力とにより後滑りが抑止されるとき、前記後滑り抑止用制動力の大きさに上限を設定するようになっていることを特徴とする車輌を提案するものである。
【０００７】
前記上限の値は上り坂の勾配に応じて該勾配が大きい程大きくされるようになっていてよい。
【０００８】
前記上限の値は上り坂の勾配に応じて該勾配が大きい程前記後滑り抑止用駆動力が大きくなるように設定されてよい。
【発明の効果】
【０００９】
上記の如く車輌が駆動力制御装置により制御された駆動力にて車輪を駆動する駆動装置と、制動力制御装置により制御された制動力にて車輪を制動する制動装置とを有し、前記駆動力制御装置により制御された駆動力と前記制動力制御装置により制御された制動力とにより上り坂に於ける一時停止時に後滑りを抑止されるとき、前記後滑り抑止用制動力の大きさに上限を設定するようになっていれば、かかる上限値を適切に設定することにより、車輌発進時の発進性の不良や制動装置の摩擦係合部に於ける摩耗の増大を生じない最大限度まで制動装置を作動させ、それでも車輌の後滑りを抑止する力が不足であれば、その分を駆動力により補って、上り坂に於ける車輌一時停止時の後滑りを抑止することができる。
【００１０】
その場合、前記上限の値が上り坂の勾配に応じて該勾配が大きい程大きくされるようになっていれば、上り坂の勾配が大きくなれば車輌一時停止時の後滑りを抑止するに要する力は必然的に大きくなる状況下にて、制動力に対する要求度の増大と車輌発進時の発進性の不良や制動装置の摩擦係合部に於ける摩耗の増大を回避する観点からの制動力の上限を合理的に設定し、その間の適切な調和を図ることができる。
【００１１】
また前記上限の値が上り坂の勾配に応じて該勾配が大きい程後滑り抑止用駆動力が大きくなるように設定されれば、上り坂勾配が大きい程車輌の後滑りを抑止するに要する力のより多くの部分を駆動力により賄うようにし、上り坂勾配の増大に伴う制動力の増大を適切に抑え、急な上り坂で於いても車輌発進時の発進性の不良や制動装置の摩擦係合部に於ける摩耗の増大よりよく回避することができる。この場合、前記上限の値を上り坂の勾配が大きい程後滑りを抑止する駆動力を大きくすることを、後滑り抑止力中に占める駆動力の割合を大きくしつつ行えば、前記上限の値を上り坂の勾配が大きい程大きくする条件のも適うようにすることができる。
【発明を実施するための最良の形態】
【００１２】
図１は、内燃機関により駆動される通常の乗用車１０が傾斜角θの上り坂１２上にて一時停止された状態を示す概略図である。図示の例では、後輪１４が内燃機関１６、トランスミッション１８、プロペラシャフト２０を含む駆動装置により駆動されるようになっている。一方、後輪１４と前輪２２とは油圧制御弁を含む油圧回路２４、油圧導管２６，２８を含む制動装置により制動されるようになっている。
【００１３】
駆動装置の作動は、内燃機関１６およびトランスミッション１８の作動が図には示されていないアクセルペダルの踏み込みおよびシフトレバーの切換え操作に応じて制御されるほか、マイクロコンピュータを組み込んだ電子制御装置（ＥＣＵ）３０によっても制御されることにより、制御されるようになっている。
【００１４】
同様に、制動装置の作動は、油圧回路２４に含まれる油圧制御弁や油圧切換弁の作動が図には示されていないブレーキペダルの踏込み操作に応じて制御されることにより制御されるほか、電子制御装置３０によっても制御されることにより、制御されるようになっている。
【００１５】
３２は車輌の前後方向の加速度を検出する加速度センサであり、その検出値は電子制御装置３０へ送られるようになっている。
【００１６】
図２は、発明による車輌の上り坂に於ける一時停止中に主として電子制御装置３０により行われる駆動装置と制動装置の制御の態様を一つの実施の形態について示すフローチャートである。かかるフローチャートに沿った制御は、一般の制動力或いは駆動力の制御による車輌挙動制御に於ける数１０〜数１００ミリセカンドの周期より短い５ミリセカンド程度の周期にて繰り返されるのが好ましい。
【００１７】
制御が開始されると、図には示されていない各種のセンサ等により検出されたデータに基づき、車速Ｖが０以上であるか否かが判断される。答がイエス（Ｙ）であるときには、車輌は一時停止中ではないので、制御は後述のステップ１６０へ進み、後述のＦbt、Ｆdt、Ｆが０にリセットされ、この回の制御は終了する。答がノー（Ｎ）であるときには、制御はステップ２０へ進む。尚、このステップ１０に於ける車速Ｖの判断は、ΔＶを或る適当な正の微小値として、Ｖ＞ΔＶ？として行われてもよい。
【００１８】
ステップ２０に於いては、アクセル開度Ｔhがある所定の下限値Ｔho以上であるか否かが判断される。この下限値Ｔhoは、アクセル開度がこれ以上なら、たとえ車輌が上り坂にて一時停止されていても、運転者は車輌の後滑りを念頭に置いて意識的にアクセルペダルを踏んでおり、本発明による後滑り制御の必要はないようなアクセル開度の値である。答がイエスであれば、このときも制御はステップ１６０へ進む。答がノーであれば、制御はステップ３０へ進む。
【００１９】
ステップ３０に於いては、ブレーキ油圧Ｐbがある所定の下限値Ｐbo以上であるか否かが判断される。この下限値Ｐboも、ブレーキ油圧がこれ以上なら、たとえ車輌が上り坂にて一時停止されていても、運転者は車輌の後滑りを念頭に置いて意識的にブレーキペダルを踏んでおり、本発明による後滑り制御の必要はないようなブレーキ油圧の値である。答がイエスであれば、このときにも制御はステップ１６０へ進む。答がノーであれば、制御はステップ４０へ進む。
【００２０】
ステップ４０に於いては、トランスミッション制御用シフトレバーがＤレンジ、２レンジ等の前進駆動レンジにシフトされているか否かが判断される。シフトレバーがニュートラル位置に設定されていたり、パーキング位置或いはリバース位置に設定されていたのでは、本発明による制御は行えない。従って答がノーであるときには、制御はステップ１６０へ進む。答がイエスであれば、制御はステップ５０へ進む。
【００２１】
ステップ５０に於いては、フラグＦが１にセットされているか否かが判断される。フラグＦは制御が後述のステップ１１０に至ったとき１にセットされるものであり、それ迄は毎回の運転開始時に０にリセットされているので、制御が最初にこのステップに至ったときには、一先ず答はノーであり、制御はステップ６０へ進む。
【００２２】
ステップ６０に於いては、車速Ｖが０であるか否かが判断される。車輌の運行中に車輌が停止され、ステップ１０の答がノーになり、ステップ２０および３０の答がノーであり、ステップ４０の答がイエスであり、ステップ５０の答がノーであって制御がこのステップに至ったときには、一度は必ずこの答はイエスとなる筈である。（但し、ステップ１０の判断が上述の通りＶ＞ΔＶ？とされるときには、ステップ６０はＶ＝ΔＶ？とされてもよい。）そのとき制御はステップ７０へ進む。
【００２３】
ステップ７０に於いては、上記の加速度センサ３２により検出された車輌前後方向の加速度αが０より大きいか否かが判断される。車輌が平地ないし下り坂にて停止したのであれば、αは０ないし負となるが、車輌が上り坂にて停止したときにはαの値は正の値となる筈である。即ち、車輌が図１に示されている如く傾斜角θの上り坂にて停止していれば、加速度センサ３２には重力加速度をｇとしてｇ・sinθの加速度が作用する。そこで、ステップ７０の答がイエスであれば、制御はステップ８０へ進み、上り坂の傾斜角θをsin-1(α／ｇ)して算出する上り坂の勾配算出が行われる。
【００２４】
次いで制御はステップ９０へ進み、車輌を上り坂上にて一時停止状態に維持するに当っての制動力の目標値Ｆbtがθを変数とする関数ｆb(θ)の値として算出される。これはθの値に基づいて図３に例示する如きマップ（実線）を参照して行われてよい。この目標制動力Ｆbtが後滑り抑止用制動力の上限値であり、電子制御装置３０の自動制御判断による後滑り抑止用制動力は上り坂の傾斜角θの値に応じてこの目標制動力Ｆbtまで増大される。
【００２５】
次いで、制御はステップ１００へ進み、車輌をこの上り坂上に停止状態に維持するに必要な力より上に算出された制動力を差し引いて駆動力の目標値Ｆdtが算出される。即ち、車輌をこの上り坂上に停止状態に維持するに必要な力は、車輌の質量をＭとすれば、Ｍ・ｇ・sinθであるので、Ｆdt＝Ｍ・ｇ・sinθ−Ｆbtとされる。ここで制御はステップ１１０へ進み、フラグＦを１にセットし、更にステップ１２０へ進む。また、これ以後は、ステップ５０に至った制御は、これよりステップ６０〜１１０をバイパスしてステップ１２０へ進む。
【００２６】
ステップ１２０に於いては、上に算出された目標制動力Ｆbtに基づいてかかる制動力を発生するよう制動装置の制御が実行される。
【００２７】
次いで、制御はステップ１３０ へ進み、車速Ｖが負であるか否か、即ち車輌が後退しているか否かが判断される。もし答がイエスであれば、それは車輌を上り坂にて停止状態に維持する力が不足していることを意味する。この場合、上記の通り上に算出された目標制動力Ｆbtは制動力の上限値であり、これ以上は増大されない。そこで、ステップ１３０の答がイエスのときには、制御はステップ１４０へ進み、駆動力の目標値Ｆdtをフローの１サイクル当たり或る微小値ΔＦdずつ増大させることが行われる。これは車輌の後退が止まり、ステップ１３０の答がイエスからノーに転ずるまで続けられる。ステップ１３０の答が初めからノーであり、或いはイエスからノーに転じた後は、ステップ１４０はパイパスされる。
【００２８】
次いで、制御はステップ１５０へ進み、上に算出された目標駆動力Ｆdtに基づいてかかる駆動力を発生するよう駆動装置の制御が実行される。
【００２９】
以上のことから明らかな通り、当初から上り坂での一時停止状態ではなく、ステップ１０の答がイエスであるとき、或いは上り坂での一時停止状態であっても運転者がアクセルペダル或いはブレーキペダルをある程度以上の深さに踏み込んでおり、ステップ２０または３０の答がイエスであるとき、或いはトランスミッションが前進駆動レンジにシフトされておらず、本発明による制御が行えないとき、または車輌が上り坂上にて停止され、目標制動力Ｆbtおよび目標駆動力Ｆdtが算出されて制動力および駆動力を発生させる制御が行われた後、運転者が車輌を発進させるべくアクセルペダルを踏み込むことによりステップ１０または２０の答がイエスとなったときには、制御はステップ１６０ へ進む。そして、制御がここに進んだときには、目標駆動力Ｆbt、目標制動力Ｆdt、フラグＦは、その値が何であっても、０にリセットされ、次回の制御への備えがなされる。
【００３０】
また図３のマップより理解される通り、このマップの例ではＦbtの値を与えるｆb(θ)の値即ち、制動力の上限値は、上り坂上に於いて車輌を停止状態に維持するに必要な力がＦbt＋Ｆdtであるとして、θの増大に応じて大きくされ、またθの増大に連れて駆動力Ｆdtを増大させるような値に設定されている。
【００３１】
以上に於いては本発明を一つの実施の形態について詳細に説明したが、かかる実施の形態について本発明の範囲内にて種々の変更が可能であることは当業者にとって明らかであろう。
【図面の簡単な説明】
【００３２】
【図１】内燃機関により駆動される通常の乗用車１０が傾斜角θの上り坂１２上にて一時停止されて状態を示す概略図。
【図２】本発明による車輌の上り坂に於ける一時停止中に主として電子制御装置３０により行われる駆動装置と制動装置の制御の態様を一つの実施の形態ついて示すフローチャート。
【図３】図２のフローチャートのステップ９０に於いて参照されるマップの一例を示す図。
【符号の説明】
【００３３】
１０…乗用車、１２…上り坂、１４…後輪、１６…内燃機関、１８…トランスミッション、２０…プロペラシャフト、２２…前輪、２４…油圧回路、２６，２８…油圧導管、３０…電子制御装置（ＥＣＵ）、３２…加速度センサ
【図１】
2007118781.tif 000003
【図２】
2007118781.tif 000004
【図３】
2007118781.tif 000005